(57)【特許請求の範囲】
【請求項１】
法面などの斜面に透水性を得るに必要な粒度の骨材と自硬性接着剤との混合透水材を塗り付け或いは吹き付けて多孔質材層を設けた斜面安定工に於いて、上記多孔質材層の表面に、黒土、ビール汚泥、ベントナイト、ルナゾール（登録商標）と称される接着性向上材、ケナセル（商品名）と称される保水性を有する増量材、必要に応じて液体肥料及び水の適宜を混合して得た植物栽培基盤材のスラリーを塗布或いは吹き付けたことを特徴とする斜面安定工に於ける多孔質材層の緑化法。
【発明の詳細な説明】
【０００１】
【発明の属する技術分野】
この発明は、斜面安定工に於ける多孔質材層の緑化法に関する。
【０００２】
【従来の技術及びその課題】
法面などの斜面をそのままにしておくと、表土などが雨水などの流下水によって流され、或いは崩壊するおそれがあるので、斜面を安定させる工法が必要になる。
【０００３】
そこで斜面にモルタルやセメントミルクなどの安定材を吹き付け或いは塗り付けている。
【０００４】
このような斜面安定工にあっては、表層の安定材層に透水性がないため、基盤（施工斜面）と安定材層との間に基盤の地表に滲み出た水が残留するので、安定材層の浮き上がり（基盤に対する遊離）原因になる。
このため、安定材が崩壊する。
【０００５】
特に、滲み出た水の流出がないため、封じ込められた水が昼夜の温度差によって膨張と収縮とを繰り返すので、安定材層にひび割れが発生して崩壊の誘発原因になると共に、安定材層の耐久性を著しく減少するなどの問題があった。
【０００６】
そこで、施工面に透水性を得るに必要な粒度の骨材と自硬性接着剤との混合透水材を塗り付け或いは吹き付けて設けた多孔質材層により上述の各種問題点を解決している。すなわち、斜面から滲み出た水を多孔質材層をへて多孔質材層の表面に流出させて、斜面と多孔質材層との間に水を残留（封じ込めない）しないようにする。
【０００７】
しかしながら、斜面安定工の多孔質材層をそのまま放置しておくと、周囲の景観にマッチしないので、緑化を施こす必要がある。
【０００８】
そこで、緑化を施こす従来技術としては、特開平６−１１３６６６号公報に示すように、ポーラスコンクリート硬化体の空隙に種子及び水分吸い上げ材を充填したものがある。
【０００９】
そして、土壌からの水分や雨水からの水分を貯水するための水分吸い上げ材としては、広葉樹パルプ粉砕品、セルロース粉末などの結晶セルロースなどの吸水性ポリマーが使用され、手で振動を与えながら充填している。
【００１０】
このような方式にあっては、充填に著しい手数がかかって大幅なコストアップになると共に、ポーラスコンクリート硬化体の溶出アルカリ分によって緑化植物の生育に悪影響を及ぼすなどの問題があった。
【００１１】
また、他の緑化従来技術としては、特開平１１−９３１７０号公報に示すように、ポーラスコンクリートの空隙部に保水性材料を充填し、次いでその表面に有機質材、肥料、土壌改良材及び連結性のあるフィラメント状ゴムの混合した植生基材を吹付けたものがある。
【００１２】
このような方式にあっては、ポーラスコンクリートに対する緑化手段が、空隙部に対する保水材料の充填、次いでその表面に吹付けによる植生基材層の形成のため施工が別々になるので著しく手数がかかると共に、二段階の吹付けにより吹付け機器の管理や保守などが大変でもあった。
【００１３】
さらに、その他の緑化従来技術としては、ポーラスコンクリート硬化体の連続空隙内に液状保水材を充填（種子、肥料及び土壌なども併せて）し、またその表面に種子、肥料を混入した繊維補強客土を薄く吹き付けたものがある。
【００１４】
このような方式にあっては、保水材が液状であり、圧入による充填のため圧入作業に著しく手数がかかってコストの大幅なアップになり、また充填作業と吹付作業とが別工程になるので、作業性が悪く大幅なコストアップになると共に、硬化体の溶出アルカリ分によって緑化植物の生育に悪影響を及ぼすなどの問題もあった。
【００１５】
そこで、この発明は、上述の各問題を解決するようにした斜面安定工に於ける多孔質材層の緑化法を提供することにある。
【００１６】
【課題を解決するための手段】
上記の課題を解決するために、この発明は、法面などの斜面に透水性を得るに必要な粒度の骨材と自硬性接着剤との混合透水材を塗り付け或いは吹き付けて多孔質材層を設けた斜面安定工に於いて、上記多孔質材層の表面に、黒土、ビール汚泥、ベントナイト、ルナゾール（登録商標）と称される接着性向上材、ケナセル（商品名）と称される保水性を有する増量材、必要に応じて液体肥料及び水の適宜を混合して得た植物栽培基盤材のスラリーを塗布或いは吹き付けたことを特徴とする斜面安定工に於ける多孔質材層の緑化法を採用する。
【００１７】
【発明の実施の形態】
この発明の実施形態を添付図面に基づいて説明する。
【００１８】
この発明の実施形態では、図１及び図２に示すように、オープンカット工法などにより構成した高速道路の法面、ダムの湛水斜面、各種施設などに面する傾斜した法面或いは崩壊のおそれのある傾斜地などの斜面Ａには、透水性を得るに必要な粒度の骨材１と自硬性接着剤２との混合混練によって得られた混合透水材３を塗り付け或いは吹き付けて所定の厚みの多孔質材層Ｂが設けてある。
【００１９】
上記の骨材１には、適宜な粒径５〜２０ｍｍのフルイ砂、ふるい砕石、フルイ砂利または人工軽量粗骨材なとが用いられる。
【００２０】
上記の自硬性接着剤２には、例えばセメントと水とからなるセメントペーストを標準とするが、より強度を必要とする場合は、これにカチオン系や酢酸ビニル系などの高分子系接着剤やビニロン短繊維などの補強材を混入（併用）することもあり、透水材３の硬化時のブリージングを低減し、かつひび割れの発生を防止する目的として硝酸カルシウムの化合物などの混和剤（セメント水和反応を変える変性剤）を混入（併用）することもある。
【００２１】
なお、斜面Ａに対する多孔質剤層Ｂの安定した定着をはかるためには、既知のように、斜面Ａ上にアンカーピンを介し金網を止め、そして金網に吹き付け或いは塗り付け多孔質剤層Ｂを係合関係にすればよい。
【００２２】
また、多孔質材層Ｂの表面には、黒土、ビール汚泥、ベントナイト、ルナゾール（登録商標）、ケナセル、必要に応じて液体肥料及び水を混合混練して得た植物栽培基盤材Ｃのスラリーを塗布或いは吹き付ける。
【００２３】
上記塗布或いは吹き付けた植物栽培基盤材Ｃのスラリーの一部は、多孔質材層Ｂの空隙に侵入して充填される。
【００２４】
上記植物栽培基盤材Ｃの配合比率の一例を下記に示す。
【００２５】
【表１】
練り上り量４．４ｌ当りの標準配合
┌───┬─────┬──────┬────┬──────┬───┐
│黒  土│ビール汚泥│ベントナイト│ケナセル│ルナゾール  │  水  │
│      ｜          ｜            ｜        ｜（登録商標）｜      │
│（ｌ）│  （ｌ）  │   （ｌ）   │ （ｌ） │  （ｇ）    │（ｌ）│
├───┼─────┼──────┼────┼──────┼───┤
│１．０│  ０．４  │   ０．２   │ ０．４ │   １８     │２．４│
└───┴─────┴──────┴────┴──────┴───┘
【００２６】
上記黒土は、肥料のため、上記ビール汚泥は、骨材１の接着剤２として用いたセメントのアルカリの中和剤として役目があり、上記ベントナイトは、粘度を調整すると共に保水性のため、上記ケナセルは、保水性を有する増量材、上記ルナゾール（登録商標）は、塗布或いは吹き付けたスラリーの接着性の向上のためにある。
【００２７】
すると、斜面Ａから滲み出た水分は、多孔質剤層Ｂに充填された植物栽培基盤材Ｃに吸収されて保水（当然降雨などにともなう水分も吸収される）されて、緑化に必要な湿潤状態が保たれて、植物の生長に必要な水分を常に供給することになる。
【００２８】
なお、上記植物栽培基盤材Ｃのスラリー混練の際、適宜の種子を混入することもある。
【００２９】
【発明の効果】
以上のように、この発明の斜面安定工に於ける多孔質材層の緑化法によれば、多孔質材層の空隙に充填する植物栽培基盤材により斜面の水分を吸収して保水し、かつ雨水も保水するので、植物栽培基盤材を常に湿潤状態に保って植物の生長に必要な水分を供給することができる。
【００３０】
また、植物栽培基盤材に用いたビール汚泥により多孔質材層の骨材に用いた接着剤としてのセメントのアルカリを中和して植物の生成を妨げない効果や、ベントナイトやルナゾール（登録商標）の粘性接着効果によりスラリーの塗布や吹き付け作業性（付着力による）がよくなる。
【図面の簡単な説明】
【図１】この発明の実施形態を示す縦断側面図
【図２】同上の要部を示す縦断拡大正面図
【符号の説明】
Ａ      斜面
Ｂ      多孔質材層
Ｃ      植物栽培基盤材
１      骨材
２      接着材
３      透水材
【図１】
0004030769.tif 000002
【図２】
0004030769.tif 000003